(57)【特許請求の範囲】
【請求項１】
ＦＭ受信信号に対して、目的受信信号の搬送波周波数を所定の中間周波数にシフトさせる周波数変換を行い、中間信号を生成する中間信号生成回路と、
通過帯域幅を可変設定でき、前記中間信号に変換された前記目的受信信号を通過するバンドバスフィルタと、
前記目的受信信号に対する隣接受信信号の干渉を検出する隣接干渉検出部と、
前記目的受信信号がステレオコンポジット信号とモノラル信号とのいずれの信号種別であるかを判別する信号種別判別部と、
前記干渉の有無及び前記信号種別の組み合わせに応じて設定される条件組み合わせ毎に、所定の基準帯域幅と、当該基準帯域幅より狭い狭帯域幅とのいずれかである定義帯域幅を設定され、当該定義帯域幅に基づいて前記バンドパスフィルタの前記通過帯域幅を制御する帯域幅制御部と、
を有し、
前記帯域幅制御部は、複数の前記条件組み合わせのうち少なくとも一部の特定組み合わせについて、当該ＦＭチューナの外部から書き込み可能な記憶素子を備え、当該記憶素子に当該特定組み合わせの前記定義帯域幅を指定する内容を設定されること、
を特徴とするＦＭチューナ。
【請求項２】
請求項１に記載のＦＭチューナにおいて、
前記目的受信信号の変調度が所定の高変調状態か否かを判別する変調度判別部を有し、
前記条件組み合わせは、さらに前記高変調状態か否かを加味して設定されること、
を特徴とするＦＭチューナ。
【請求項３】
請求項１又は請求項２に記載のＦＭチューナにおいて、
前記目的受信信号の受信電界強度が所定の弱電界状態か否かを判別する電界強度判別部を有し、
前記条件組み合わせは、さらに前記弱電界状態か否かを加味して設定されること、
を特徴とするＦＭチューナ。
【請求項４】
請求項１に記載のＦＭチューナにおいて、
前記特定組み合わせは、前記干渉が検出され、かつ前記信号種別が前記ステレオコンポジット信号である場合であること、
を特徴とするＦＭチューナ。
【請求項５】
請求項２に記載のＦＭチューナにおいて、
前記特定組み合わせは、前記干渉が検出され、かつ前記信号種別が前記ステレオコンポジット信号であり、かつ前記高変調状態の場合であること、
を特徴とするＦＭチューナ。
【請求項６】
請求項４又は請求項５に記載のＦＭチューナにおいて、
前記特定組み合わせは、さらに前記弱電界状態の場合であることを加重要件とすること、
を特徴とするＦＭチューナ。
【発明の詳細な説明】
【技術分野】
【０００１】
本発明は、周波数変調（Frequency Modulation：ＦＭ）された信号を受信するＦＭチューナに関する。
【背景技術】
【０００２】
ＦＭ信号は、音声信号等に基づいて搬送波の周波数を変化させるため、その伝送には例えばＡＭ信号に比べて広い周波数帯域を必要とする。そのため、ＦＭチューナにおいて、目的とする伝送信号を受信する場合に、その周波数に近い周波数で伝送される他の信号からの干渉（隣接妨害）を受けやすく、これが、検波される音声信号の品質に悪影響を及ぼすことがある。この隣接妨害は、受信目的の信号（希望波）を抽出するバンドパスフィルタ（Band Pass Filter：ＢＰＦ）の帯域を狭くすることで軽減を図れる。
【０００３】
図３は、従来のＦＭチューナの構成を説明するブロック図である。アンテナにて受信されたＲＦ（Radio Frequency）信号は、所定の中間周波数（Intermediate Frequency：ＩＦ）ｆＩＦを有する中間信号へ周波数変換され、ＩＦＢＰＦ２に入力される。ＩＦＢＰＦ２は、ｆＩＦを中心周波数とするバンドパスフィルタであり、その帯域幅ＷＦは、例えば、約４０ｋＨｚ〜約２２０ｋＨｚといった範囲で可変に構成される。
【０００４】
ＩＦＢＰＦ２を通過したＦＭ信号は、リミッタアンプ４に供給される。リミッタアンプ４は、ＦＭ信号の振幅を増幅して矩形波とし、ＦＭ信号にのったノイズを除去する。リミッタアンプ４で増幅され矩形波とされたＦＭ信号は、ＦＭ検波回路６に入力される。ＦＭ検波回路６は、リミッタアンプ４の出力信号をＦＭ検波する。
【０００５】
このＦＭ検波出力に基づいて音声信号が再生される。また、ＦＭ検波出力ＳＤＥＴは、隣接妨害検出回路８及び変調度検出回路１０に入力される。隣接妨害検出回路８は、ＳＤＥＴから、隣接妨害により生じ得る高域成分を抽出し、その強弱に応じた電圧レベルの直流信号ＳＡＩを生成する。変調度検出回路１０は、ＳＤＥＴに基づいて受信信号の変調度に応じた電圧レベルの直流信号ＳＭＤを生成する。
【０００６】
リミッタアンプ４はシグナルメータ（Ｓメータ）回路１２にも接続されている。リミッタアンプ４は、数段のバッファアンプを直列に繋げた回路から構成されている。Ｓメータ回路１２は、リミッタアンプ４の各バッファアンプの出力を入力信号とし、それらに基づいてＦＭ信号の信号強度に応じた受信電界強度信号ＳＦＩを生成する。また、Ｓメータ回路１２が抽出するＡＣ成分は隣接妨害検出回路８での隣接妨害検出に利用することができる。
【０００７】
帯域幅制御回路１４は、隣接妨害検出回路８の出力ＳＡＩ、変調度検出回路１０の出力ＳＭＤ、及びＳメータ回路１２の出力ＳＦＩを入力され、それらに基づいて、ＩＦＢＰＦ２の通過帯域幅ＷＦを制御する。帯域幅制御回路１４は、隣接妨害が生じている場合には、帯域幅ＷＦを基準帯域幅より狭くするように制御する。これにより、ＦＭ検波回路６には隣接妨害波が除去されたＦＭ信号が入力され、隣接妨害による音声品質の劣化を軽減・抑制できる。
【０００８】
また、帯域幅制御回路１４は、受信電界強度が所定の弱電界状態である場合にも、帯域幅ＷＦを狭くするように制御する。これにより、ＩＦＢＰＦ２を通過する弱電界ノイズ成分を少なくすることができ、感度の向上が図られる。
【０００９】
一方、高変調の状態にて、帯域幅ＷＦを狭めると音声歪みを生じる可能性がある。そこで、帯域幅制御回路１４は、隣接妨害が生じておらず、かつ高変調度の場合には、弱電界状態であっても帯域幅ＷＦを基準帯域幅に設定し、弱電界ノイズの除去より音声歪みの抑制を優先させる。
【特許文献１】特開２００４−３１２０７７号公報
【発明の開示】
【発明が解決しようとする課題】
【００１０】
従来の構成は、隣接妨害時には高変調度であっても、帯域幅ＷＦを狭めて隣接妨害の除去を図るため、音声歪みが生じ得るという問題があった。特に、ＦＭ受信信号がステレオコンポジット信号である場合、モノラル信号に比べて広い帯域を有するため音声歪みが大きくなること、及び音声歪みに起因する聴感上の違和感も大きくなることから、音声品質の低下が大きくなり得る。
【００１１】
ここで、音声品質は複数の要因の影響を受けると共に、またそれらのバランスにも依存し得る。例えば、変調度は国によって違いが見られるため、帯域制限を行って音声歪みよりも隣接妨害の除去を優先することが、必ずしも音声品質の確保に有利であるとは限らない。すなわち、概して大きな変調度で放送が行われる国では、ＩＦＢＰＦ２の帯域幅ＷＦを狭めて隣接妨害の除去を図るよりも、ＷＦを狭めずに音声歪みの回避を図る方が、音声品質は良くなることが考えられる。
【００１２】
また、ＦＭチューナの音声品質の良否の判断やその設定条件の選択には、聴き手やメーカの好みといった主観的な要素も影響を与える。すなわち、隣接妨害の除去と音声歪みの抑制とのいずれを優先するかについて、画一的に定められない場合が存在し得る。
【００１３】
すなわち、従来の構成では、必ずしも良好な音声品質が確保できない場合があるという問題があった。
【００１４】
本発明は上記問題点を解決するためになされたものであり、良好な音声品質を実現し易いＦＭチューナを提供することを目的とする。
【課題を解決するための手段】
【００１５】
本発明に係るＦＭチューナは、ＦＭ受信信号に対して、目的受信信号の搬送波周波数を所定の中間周波数にシフトさせる周波数変換を行い、中間信号を生成する中間信号生成回路と、通過帯域幅を可変設定でき、前記中間信号に変換された前記目的受信信号を通過するバンドバスフィルタと、前記目的受信信号に対する隣接受信信号の干渉を検出する隣接干渉検出部と、前記目的受信信号がステレオコンポジット信号とモノラル信号とのいずれの信号種別であるかを判別する信号種別判別部と、前記干渉の有無及び前記信号種別に応じて設定される条件分類毎に定義帯域幅を設定され、当該定義帯域幅に基づいて前記バンドパスフィルタの前記通過帯域幅を制御する帯域幅制御部と、を有し、前記帯域幅制御部が、複数の前記条件分類のうち少なくとも一部の特定条件分類についての前記定義帯域幅を、所定の基準帯域幅と、当該基準帯域幅より狭い狭帯域幅とのいずれとするか選択可能に構成されているものである。
【発明の効果】
【００１６】
本発明によれば、バンドパスフィルタの通過帯域幅の広狭が音声品質に対してトレードオフとなり得る特定条件分類において、通過帯域幅を一意的に設定するのではなく、基準帯域幅又は狭帯域幅を選択可能に構成することができる。これにより、聴き手やメーカは特定条件分類に対して、音声品質の確保に好適な定義帯域幅を選択することができる。そして、特定条件分類では、帯域幅制御部がその選択された定義帯域幅に従ってバンドパスフィルタの通過帯域幅を制御することにより、音声出力の品質の確保が図られる。
【発明を実施するための最良の形態】
【００１７】
以下、本発明の実施の形態（以下実施形態という）について、図面に基づいて説明する。
【００１８】
図１は、実施形態に係るＦＭチューナの概略のブロック構成図である。本ＦＭチューナ５０は、その主要部のＩＣ化を図りつつ共通の回路基板上に形成され、基本的に一体のチューナモジュールとして構成される。
【００１９】
当該モジュールは例えば、自動車の車載オーディオ機器にその一部として組み込まれる。アンテナ５４で受信されたＲＦ信号ＳＲＦはＦＭチューナ５０において、ＦＭ−ＲＦ同調増幅回路５６、第１局部発振部５８、第１混合回路６０、バンドパスフィルタ（Band Pass Filter：ＢＰＦ）６２，６６、バッファアンプ６４，７２、第２局部発振部６８、第２混合回路７０、ＩＦＢＰＦ７４、リミッタアンプ７６、ＦＭ検波回路７８、ノイズキャンセラ８０、及びマトリクス回路（ＭＰＸ回路）８２を含んで構成される信号処理系で処理され、希望局の音声信号に対応した出力信号ＳＯＵＴが生成される。
【００２０】
ＦＭチューナ５０は上述の構成要素の他、水晶発振回路９０、Ｓメータ回路９２、帯域幅制御回路９４、パイロット信号抽出回路９８、隣接干渉ノイズ抽出回路１１０及び変調度信号生成回路１１２を含んで構成される。また、ＦＭチューナ５０は、図示しないシステムバスに接続され、当該システムバスを介し、マイクロコンピュータ等の制御部（不図示）の制御を受けて動作する。
【００２１】
ＲＦ信号ＳＲＦはＦＭ−ＲＦ同調増幅回路５６に入力される。ＦＭ−ＲＦ同調増幅回路５６は、ＲＦ信号ＳＲＦのうち、受信目標ＦＭ信号の搬送波周波数ｆＲに応じた帯域から外れた成分を減衰させる。これにより、ＦＭ−ＲＦ同調増幅回路５６は、受信希望局の周波数ｆＲを含む帯域のＲＦ信号ＳＲＦを通過させ、このＦＭ−ＲＦ同調増幅回路５６の出力信号は第１混合回路６０に入力される。
【００２２】
第１局部発振部５８は第１発振回路１１４及び分周回路１１６を含んで構成される。第１発振回路１１４は、水晶発振回路９０が出力する原発振信号Ｓ０を基準発振信号として利用するＰＬＬ回路で構成される。当該ＰＬＬ回路は、受信希望局に応じた周波数ｆＯＳＣ１の発振信号ＳＯＳＣ１を出力する。第１発振回路１１４は、制御部によりｆＯＳＣ１を制御され、ｆＯＳＣ１は、αを分周回路１１６の分周比として、α・（ｆＲ＋ｆＩＦ１）に設定される。分周回路１１６は、既に述べたように第１発振回路１１４からのＳＯＳＣ１をα分周してＳＬＯ１を生成し、第１混合回路６０へ出力する。
【００２３】
第１混合回路６０は、入力されたＲＦ信号ＳＲＦを、第１局部発振部５８から入力される第１局部発振信号ＳＬＯ１と混合して、第１中間信号ＳＩＦ１を生成する。ＳＬＯ１の周波数ｆＬＯ１は、ＳＲＦに含まれる周波数ｆＲの希望局の信号が第１混合回路６０によるＳＩＦ１への周波数変換にて所定の第１中間周波数ｆＩＦ１に変換されるように調整される。第１中間周波数ｆＩＦ１は、例えば、１０．７ＭＨｚに設定される。
【００２４】
ＳＩＦ１は、ＢＰＦ６２、バッファアンプ６４及びＢＰＦ６６を経て、第２混合回路７０に入力される。例えば、ＢＰＦ６２，６６はセラミックフィルタを用いて構成することができる。
【００２５】
第２局部発振部６８は、ｆＩＦ１＝１０．７ＭＨｚ、ｆＩＦ２＝４５０ｋＨｚに設定する場合に対応して、周波数ｆＬＯ２が１０．２５ＭＨｚであるＳＬＯ２を生成する。このＳＬＯ２を生成するために、本実施形態の第２局部発振部６８は分周回路１１８を有している。分周回路１１８は、水晶発振回路９０が出力する例えば２０．５ＭＨｚの発振信号Ｓ０を２分周して、上記ＳＬＯ２を生成し、第２混合回路７０へ供給する。
【００２６】
第２混合回路７０は、ＢＰＦ６６から入力された第１中間信号ＳＩＦ１を、第２局部発振部６８から入力される第２局部発振信号ＳＬＯ２と混合して、第２中間周波数ｆＩＦ２の第２中間信号ＳＩＦ２を生成する。ＳＬＯ２の周波数ｆＬＯ２は、（ｆＩＦ１−ｆＩＦ２）に設定され、ＳＩＦ１に含まれる周波数ｆＩＦ１の目的受信信号は第２混合回路７０において周波数ｆＩＦ２に変換される。第２中間周波数ｆＩＦ２は、例えば、４５０ｋＨｚに設定される。
【００２７】
ＳＩＦ２は、バッファアンプ７２を経由して、ＩＦＢＰＦ７４に入力される。ＩＦＢＰＦ７４は、ｆＩＦ２を中心周波数とし、かつ通過帯域幅ＷＦを可変設定できるバンドパスフィルタである。ＩＦＢＰＦ７４の通過帯域幅ＷＦは、後述するように帯域幅制御回路９４により制御される。
【００２８】
ＩＦＢＰＦ７４から出力されたＳＩＦ２は、リミッタアンプ７６を経て、ＦＭ検波回路７８に入力される。ＦＭ検波回路７８は例えば、クオドラチュア検波回路で構成される。ＦＭ検波回路７８は、リミッタアンプ７６から入力されたＳＩＦ２をＦＭ検波し、検波出力信号ＳＤＥＴを出力する。
【００２９】
ノイズキャンセラ８０は、検波出力信号ＳＤＥＴからパルスノイズを除去する。例えば、車載のＦＭチューナでは、車両のエンジン、電動ミラーやワイパーなどの動作に起因して、時間幅の短く振幅の大きいパルス状のノイズが受信信号に重畳し得る。ノイズキャンセラ８０は、このようなパルスノイズによる音質劣化を抑制する。パルスノイズを除去されたＳＤＥＴはマトリクス回路８２に入力される。
【００３０】
ノイズキャンセラ８０の出力にはパイロット信号抽出回路９８が設けられている。ＳＤＥＴは、（Ｌ＋Ｒ）信号、（Ｌ−Ｒ）信号及びパイロット信号ＳＰＬからなるステレオコンポジット信号であり、パイロット信号抽出回路９８はこのＳＤＥＴからパイロット信号ＳＰＬを抽出する。抽出されたパイロット信号ＳＰＬは、マトリクス回路８２に入力される。
【００３１】
また、パイロット信号抽出回路９８は、ＳＤＥＴ中におけるパイロット信号ＳＰＬの有無に応じて、ステレオインジケータ信号ＳＳＩを生成する。ＳＤＥＴ中にパイロット信号ＳＰＬが検出される場合には、信号ＳＳＩは、受信信号がステレオ放送であることを表す状態として、例えば、論理値“１”に対応する所定の電圧ＶＨ（Ｈレベル）に設定され、一方、パイロット信号ＳＰＬが検出されない場合には、信号ＳＳＩは、モノラル放送であることを表す状態として、例えば、論理値“０”に対応する所定の電圧ＶＬ（Ｌレベル、ＶＬ＜ＶＨ）に設定される。ＳＳＩは、帯域幅制御回路９４に入力される。
【００３２】
マトリクス回路８２は、ステレオ放送時には、パイロット信号抽出回路９８から入力されるパイロット信号ＳＰＬを用いて、ＳＤＥＴからパイロット信号ＳＰＬを相殺し、（Ｌ＋Ｒ）信号、（Ｌ−Ｒ）信号をそれぞれ抽出することができる。そして、それら（Ｌ＋Ｒ）信号と（Ｌ−Ｒ）信号とから、マトリクス方式によりＬ信号とＲ信号とを分離し出力することができる。
【００３３】
Ｓメータ回路９２は、例えば、ＢＰＦ６６から入力されたＳＩＦ１に基づいて、ＳＩＦ１に含まれる変動成分信号ＳＭ−ＡＣを生成すると共に、当該変動成分をＬＰＦで平滑化して受信電界強度信号ＳＭ−ＤＣを生成する。ＳＭ−ＤＣは、帯域幅制御回路９４にて利用される。
【００３４】
隣接干渉ノイズ抽出回路１１０は、ＦＭ検波回路７８の出力信号ＳＤＥＴに含まれる隣接干渉ノイズ成分を抽出する。隣接妨害の発生時のＳＤＥＴは、希望局に対応する音声帯域の信号成分に重畳して、希望局と妨害局とのＲＦ周波数差Δｆに応じた周波数を有する高周波成分を有する。隣接干渉ノイズ抽出回路１１０は、ＨＰＦ１３８、検波回路１４０を含んで構成され、隣接妨害により生じ得る高域成分の強弱に応じた電圧レベルの直流信号ＳＡＩを出力する。ＨＰＦ１３８のカットオフ周波数ｆＣは、ＳＤＥＴに含まれる隣接干渉ノイズの主要成分がＨＰＦ１３８を通過するように設定される。例えば、日本におけるＦＭ放送のチャンネルステップが１００ｋＨｚであることなどから、ＨＰＦ１３８のカットオフ周波数ｆＣは例えば、１００ｋＨｚ程度とすることができる。ＳＡＩは、帯域幅制御回路９４に入力される。
【００３５】
変調度信号生成回路１１２は、ＳＤＥＴに基づいて受信信号の変調度に応じた電圧レベルの直流信号ＳＭＤを生成する。変調度信号生成回路１１２は、ＬＰＦ１４２、検波回路１４４を含んで構成され、隣接妨害等に起因する高域成分を除去し、変調度に応じた電圧レベルの直流信号ＳＭＤを出力する。ＳＭＤは帯域幅制御回路９４にて利用される。
【００３６】
帯域幅制御回路９４は、隣接干渉ノイズ抽出回路１１０が生成するＳＡＩ、変調度信号生成回路１１２からのＳＭＤ、Ｓメータ回路９２が生成するＳＭ−ＤＣ、及びパイロット信号抽出回路９８からのＳＳＩに基づいて、受信状態を把握、後述の条件分類を判別し、分類毎に定義された帯域幅にＩＦＢＰＦ７４を制御する。
【００３７】
具体的には、帯域幅制御回路９４は、ＳＡＩに基づいて隣接干渉を検出する。ＳＡＩが所定の閾値より大きければ隣接妨害状態とされ、一方、閾値以下であれば非隣接妨害状態と判断される。
【００３８】
また、帯域幅制御回路９４は、ＳＭＤに基づいて、変調度が所定の高変調状態か否かを判別する。ＳＭＤが所定の閾値より大きければ高変調状態とされ、一方、閾値以下であれば低変調状態と判断される。
【００３９】
また、帯域幅制御回路９４は、ＳＭ−ＤＣに基づいて、受信電界強度が所定の弱電界状態か否かを判別する。ＳＭ−ＤＣが所定の閾値より低ければ弱電界状態とされ、一方、閾値以上であれば中電界以上と判断される。
【００４０】
さらに、帯域幅制御回路９４は、ＳＳＩに基づいて、受信信号がステレオコンポジット信号とモノラル信号とのいずれの信号種別であるかを判別する。
【００４１】
次に、帯域幅制御回路９４による通過帯域幅ＷＦの制御動作について説明する。図２は、ＷＦの基本的な制御動作を説明する説明図である。この図は、隣接妨害の有無、変調度の高低、受信電界強度の強弱、及びステレオ／モノラルの種別の各組み合わせ（条件分類）におけるＷＦの広狭を示している。図２（ａ）はステレオ受信時の条件分類群を表形式で表しており、図２（ｂ）はモノラル受信時の条件分類群を表形式で表している。図２（ａ）及び図２（ｂ）はそれぞれ変調度の高低と隣接妨害の有無との組み合わせに対応する２行２列の４つの欄を有し、それら各欄はさらに受信電界強度の強弱に応じて上下に２つに分けられている。
【００４２】
それら各欄に示すｗＷ又はｗＮは、対応する条件分類での通過帯域幅ＷＦの定義値であり、ｗＷは基準帯域幅を表し、ｗＮは基準帯域幅ｗＷよりも狭い狭帯域幅を表す。基本的には、基準帯域幅ｗＷは、受信信号が高変調であっても音声歪みが生じにくい広帯域幅であり、一方、狭帯域幅ｗＮは、隣接妨害除去の効果が好適に得られる幅である。従って、後述する例外となる条件分類（特定条件分類）を除き、帯域幅制御回路９４は、隣接妨害状態では、隣接妨害の影響を軽減するためにＷＦを自動的にｗＮに設定し、一方、非隣接妨害状態では、音声歪みを回避する観点からＷＦを自動的にｗＷに設定するように構成される。
【００４３】
本実施形態は、ステレオ受信時における、隣接妨害状態、かつ高変調状態、かつ弱電界状態の場合を特定条件分類とし、当該分類においては、ＷＦとして設定される帯域幅として、ｗＮとｗＷとのいずれかを選択可能に構成される。この選択は例えば、ＦＭチューナ５０のメーカにより行われ得る。メーカは予め２つ用意された帯域幅の選択肢（ｗＮ，ｗＷ）のうち例えば、好みの音質や、ＦＭチューナ５０の後段回路との相性などの点でより良好な音質が得られる一方を選択することができる。また、ＦＭチューナ５０の使用国のＦＭ放送の変調度が大きい場合には、隣接妨害より音声歪みの影響が大きくなり得ることから、メーカはｗＷを選択して音声歪みの軽減を優先し、逆に使用地域での変調度がそれほど大きくない場合には、ｗＮを選択して隣接妨害の軽減を優先することもできる。選択された帯域幅は、当該特定条件分類に対するＷＦの定義値として帯域幅制御回路９４に設定される。
【００４４】
また、図２（ａ）にて“（＊１）”で示す中電界以上の場合も特定条件分類として、上述の弱電界状態と同じ設定とする構成としてもよい。すなわち、ステレオ受信時における、隣接妨害状態かつ高変調状態の場合に、受信電界強度の２つの分類（弱電界状態と中電界以上）に対して共通に、ｗＮとｗＷとのいずれかがＷＦの定義値として選択可能としてもよい。さらに、ステレオコンポジット信号はモノラル信号に比べて帯域が広いので、ステレオ受信時かつ隣接妨害状態において低変調状態の場合も、ｗＷを選択可能としてもよい。
【００４５】
また、図２（ｂ）にて“（＊２）”で示す、モノラル受信時における、隣接妨害状態、かつ高変調状態、かつ弱電界状態の場合も、上述のステレオ受信時と同様に特定条件分類とし、ＷＦとして設定される帯域幅を選択可能に構成してもよい。モノラル信号はステレオコンポジット信号よりも帯域が狭いため、比較的に音声歪みは起こりにくいが、使用地域での放送の変調度が高い場合などには、ｗＷをＷＦの定義値として選択できる構成は有効である。さらに、この場合も、受信電界強度に依らず（すなわち、図２（ｂ）にて“（＊２）”及び“（＊３）”で示す両分類について）ｗＷをＷＦの定義値として選択できる構成としてもよい。
【００４６】
例えば、ステレオ受信時に関して図２（ａ）にて“（＊４）”で示すような、非隣接妨害状態、かつ低変調状態、かつ弱電界状態では、ＷＦの定義値をｗＷに固定せず、ｗＷとｗＮとのいずれかを選択可能としてもよい。この構成では、ｗＮを選択することにより、弱電界ノイズの軽減を図ることが可能となり、音質設計の自由度が高まる。
【００４７】
ちなみに、特定条件分類についていずれの定義帯域幅を選択されているかは、例えば、帯域幅制御回路９４に備えた不揮発性記憶素子で構成されるレジスタに格納、保持される。帯域幅制御回路９４は、例えば、当該レジスタの格納値に対応する所定の電圧の制御電圧信号を生成しＩＦＢＰＦ７４へ出力する回路を備える。特定条件分類についての定義帯域幅の選択は、メーカ等が上記レジスタに所定の内容を書き込むことにより行われ、例えば、この書き込みはシステムバスを介して接続される外部装置から行うことができる。
【００４８】
帯域幅制御回路９４は、アナログ信号で入力された各種センサ信号から、アナログ処理により、条件分類の判別を行い、当該分類に対して定義された通過帯域幅ＷＦにＩＦＢＰＦ７４を制御する構成の他、例えば、ロジック的な処理、ソフト的な処理で条件分類の判別やＷＦの設定等を行う構成とすることもできる。ロジック的な処理では、例えば、各種センサ信号をＡＤＣでデジタル値に変換し、ロジック回路にて得られた結果に基づいてレジスタの内容を設定し、そのレジスタの内容に基づいてＩＦＢＰＦ７４に対する制御信号を生成する。また、ソフト的な処理では、ＦＭチューナ５０にてデジタル化したセンサ信号をシステムバスを介して制御部へ伝送し、制御部がプログラムを実行して得られた結果に基づいて、ＩＦＢＰＦ７４に対する制御信号を生成する。
【図面の簡単な説明】
【００４９】
【図１】本発明の実施形態に係るＦＭチューナの概略のブロック構成図である。
【図２】ＷＦの基本的な制御動作を説明する説明図である。
【図３】従来のＦＭチューナの構成を説明するブロック図である。
【符号の説明】
【００５０】
５０  ＦＭチューナ、５４  アンテナ、５６  ＦＭ−ＲＦ同調増幅回路、５８  第１局部発振部、６０  第１混合回路、６２，６６  ＢＰＦ、６４，７２  バッファアンプ、６８  第２局部発振部、７０  第２混合回路、７４  ＩＦＢＰＦ、７６  リミッタアンプ、７８  ＦＭ検波回路、８０  ノイズキャンセラ、８２  マトリクス回路、９０  水晶発振回路、９２  Ｓメータ回路、９４  帯域幅制御回路、９８  パイロット信号抽出回路、１１０  隣接干渉ノイズ抽出回路、１１２  変調度信号生成回路、１１４  第１発振回路、１１６，１１８  分周回路、１３８  ＨＰＦ、１４０，１４４  検波回路、１４２  ＬＰＦ。
【図１】
0004805221.tif 000002
【図２】
0004805221.tif 000003
【図３】
0004805221.tif 000004